(57)【要約】【課題】旅行などの場合に、使用時には服を皺にならないように支え吊るようにし持ち運びができ、不使用時には折りたたんで携帯に利便性を持たせるようにする。【解決手段】服を支える支持棒１１と、この支持棒１１を内部に挿入して保持する帯状袋体１３から構成され、帯状袋体１３は支持棒１１両端部から所定長の突出する部分を有し、該帯状袋体の両端が相互に接続されて持ち運び時の握持部となり、更には、吊り下げ時におけるフックＦなどへ吊り下げ部として構成されている。【選択図】  図１
0003155436.tif 000002
【実用新案登録請求の範囲】
【請求項１】
服を支える支持棒と、この支持棒を内部に挿入して保持する帯状袋体から構成され、帯状袋体は支持棒両端部から所定長の突出する部分を有し、該帯状袋体の両端が相互に接続されて握持部及び又は吊り下げ部として構成されていることを特徴とする携帯式ハンガー。
【請求項２】
前記支持棒をパイプ部材から構成し、該パイプ内に紐体を挿通し、紐体をパイプ部材から所定長露出させ、該紐体の両端を接続することにより該紐体を握持部及び又は吊り下げ部として構成されていることを特徴とする携帯式ハンガー。
【請求項３】
前記支持棒が分離・接続可能に構成されていることを特徴とする請求項１又は２に記載の携帯式ハンガー。
【考案の詳細な説明】
【技術分野】
【０００１】
この考案は携帯式ハンガーに関する。
【背景技術】
【０００２】
服を皺にならないように支え吊るして使用するハンガーとして、折りたたんで携帯し拡げて使用する携帯ハンガーが各種提案されているが、ハンガーに掛けて持ち運ぶ点において何等考慮されていないものであった。
【考案の開示】
【考案が解決しようとする課題】
【０００３】
従来のものは小さく折りたためなかったり、使用時において拡げるのに手間がかかるといった不都合があった。又、服を持ち運ぶときに使用することを予定していないものであった。そのため構造的に複雑で取り扱いが煩雑であるといった欠点を有していた。更には、形状や構造が携帯には適さないものもある。
【０００４】
本考案は、上記従来技術の課題を解決するためになされたもので、折りたたんだり拡げたりするのが極めて簡単で、服をハンガーに掛けて持ち運びに便利な、しかも、十分な強度を有し、かつ構造的に極めてシンプルで製造コストの低廉化を図ることのできる携帯式ハンガーを提供することを目的とする。
【課題を解決するための手段】
【０００５】
以上の課題を解決するために、第一の考案は、服を支える支持棒と、この支持棒を内部に挿入して保持する帯状袋体から構成され、該帯状袋体は支持棒両端部から所定長の突出する部分を有し、該帯状袋体の両端を相互に接続し、持ち運び時における握持部及び又は吊り下げ時における吊り下げ部として構成する。
【０００６】
第二の考案は、前記支持棒をパイプ部材から構成し、該パイプ内に紐体を挿通し、紐体をパイプ部材から所定長露出させ、該紐体の両端を接続することにより該紐体を握持部及び又は吊り下げ部として構成する。
【０００７】
第三の考案は、前記支持棒を所定部分で複数に分割するとともに、分割部分で相互に接続／分離可能な構成とする。
【考案の効果】
【０００８】
この考案によれば、服をハンガーに掛け運ぶ事が容易であり、ハンガー使用時に拡げたり、不使用時の折畳みする作業が極めて簡便であり、しかも強度が充分に保てる。また、この考案によれば基本部材が二つであることにより構造的に極めてシンプルで製造コストの低廉化が図れる。
【考案を実施するための最良の形態】
【０００９】
この考案の第１の実施の形態を図１乃至図４に示す。
この携帯式ハンガー１は、図示しない服を二つ折りにして掛けた状態で支えるための支持棒１１と、該支持棒１１を内部に挿入して保持する帯状袋体１３からなる。
【００１０】
支持棒１１の寸法は特に限定されるものではないが、例えば長さを３０センチメートル、直径を１センチメートル位としておく。支持棒１１を形成する材料としては特に限定されるものではなく、木材、ABS樹脂、プラスチック、アルミニュウム等の軽量金属、炭素繊維、FRPなどから選べば良い。
【００１１】
帯状袋体１３は布、ナイロン等の合成繊維などから構成される。例えば、洋服や和服の余布等が使用できる。
【００１２】
支持棒１１は帯状袋体１３内部の中空部に略中央部に位置するように挿入される。帯状袋体１３の長さ寸法は支持棒１１の長さの略２．５から３倍程度に構成されており、支持棒１１を中央部まで挿入した後は両端を接続し握持部及び又は吊り下げ部として形成する。この接続は両端部を結ぶものであっても、また、面ファスナーで相互に接続するものでも良い。その他には接着剤でもって相互に接着しても、あるいは鋲着するものでも、さらにはフック等の係合手段を設けておき相互に係止するものであっても良い。
【００１３】
この携帯式ハンガー１の使用に際しては、帯状袋体１３の支持棒１１の両端に位置する左右の長さが同じくなる位置が持ち運び時における握持部となり、又吊り下げ時における壁のフックFやバー等に吊り下げ部となる。そして両袖を合わせた二つ折りにした背広などを支持棒１１上に載せて使用（持ち運び及び吊り下げ）される。又、吊り下げは特に図示しないが市販のS字フックを介在させても良い。
【００１４】
帯状袋体１３として薄手のナイロン等を用いた場合には、帯状袋体１３の両端が帯状袋体１３に食い込んだりして破れ、ひいてはハンガーに掛けたものが落下する原因となる場合がある。これを有効に防止するためには、図５に示すように支持棒１１の両端を半球状に丸みを持たせるように形成しておけば良い。
【００１５】
上記第１の実施の形態においては、支持棒１１を帯状袋体１３内に挿入するようにしたが、本考案はこれに限定されるものではない。すなわち、図６に示すように、第２の実施の形態における携帯式ハンガー３は支持棒３１の両端側に所定長の紐体３３を接続（取付）しておくようにしておいてもよい。この場合においても、支持棒３１はパイプ状であっても良い。パイプ状とした場合には紐体３３をパイプ内を挿通させた状態としておいても良い。
【００１６】
図６において、参照番号３５は服などが滑り落ちるのを防止するための滑り防止部材であり、摩擦係数の大きい材料から選ばれるものである。これは任意の位置に予め取付けられれば良い。また、支持棒３１全体にスエード調生地張りなどの滑り防止加工を施しておいても良い。
【００１７】
上記した支持棒１１、３１は、長手方向に複数に分割しておき、使用時に一体的に接続する構造であっても良い。この接続／分離手段としては、ネジ式であっても凹凸嵌合であってもよい。分割部分の数を多くすると組み立て分解が煩雑になるので２分割或いは３分割程度が好ましい。このように支持棒を複数分割可能にしておけば、それだけ携帯性に優れたものとなる。
【図面の簡単な説明】
【００１８】
【図１】本考案の第１の実施の形態を示す説明図である。
【図２】図１におけるA-A線切断端面図である
【図３】第１の実施の形態における支持棒を示す説明図である。
【図４】第１の実施の形態における帯状袋体を示す説明図である。
【図５】第１の実施の形態における支持棒の変形例を示す説明図である。
【図６】本考案の第２の実施の形態を示す説明図である。
【符号の説明】
【００１９】
１  携帯式ハンガー
３  携帯式ハンガー
１１  支持棒
１３  帯状袋体
３１  支持棒
３３  紐体
３５  滑り防止部材
【図１】
0003155436.tif 000003
【図２】
0003155436.tif 000004
【図３】
0003155436.tif 000005
【図４】
0003155436.tif 000006
【図５】
0003155436.tif 000007
【図６】
0003155436.tif 000008
【手続補正書】
【提出日】平成21年9月3日(2009.9.3)
【手続補正１】
【補正対象書類名】実用新案登録請求の範囲
【補正対象項目名】請求項２
【補正方法】変更
【補正の内容】
【請求項２】
服を支える支持棒において、支持棒をパイプ部材から構成し、該パイプ内に紐体を挿通し、紐体をパイプ部材から所定長露出させ、該紐体の両端を接続することにより該紐体を握持部及び又は吊り下げ部として構成されていることを特徴とする携帯式ハンガー。